(57)【要約】【課題】長い間使用しても摩耗することが殆んど無く、寿命を伸ばすことができると共に検出も間違えなく正確に行なえるパチンコ機の開閉動作検出装置を提供する。【解決手段】パチンコ機設置島Ａに配置されるパチンコ機Ｐが、遊技位置から開放位置へ移動したことを検出するパチンコ機Ｐの開閉動作検出装置Ｂであって、パチンコ機Ｐが遊技位置に位置するとき遊技対応位置に位置し、開放位置へ移動したとき開放対応位置に位置する回動動作部材２６と、回動動作部材２６が、開放対応位置へ移動したことを検出する押釦式スイッチ３２と、押釦式スイッチ３２のスイッチ釦３２ａを覆いスイッチ釦３２ａと同方向へスライドしてスイッチ釦３２ａを押動し得る可動部材３４と、からなり、回動動作部材２６が遊技対応位置へ回動動作することにより、可動部材３４を介してスイッチ釦３２ａが押動される。【選択図】　図５
2004008473.tif 000002
【特許請求の範囲】
【請求項１】
パチンコ機設置島の取付枠に回動自在に配置されるパチンコ機が、前記取付枠内に収まる遊技位置から離隔する開放位置へ移動したことを検出するパチンコ機の開閉動作検出装置であって、
前記パチンコ機が前記遊技位置に位置するとき該パチンコ機に押圧されて遊技対応位置に位置し、前記パチンコ機が前記開放位置へ移動したとき該パチンコ機から開放されて開放対応位置に位置する回動動作部材と、前記回動動作部材が、前記開放対応位置へ移動したことを検出する押釦式スイッチと、前記押釦式スイッチのスイッチ釦を覆い、かつ前記スイッチ釦の往復動作と同方向へスライドして前記スイッチ釦を押動し得る可動部材と、からなり、
前記回動動作部材が遊技対応位置へ回動動作することにより、前記可動部材を介して前記スイッチ釦が押動されるようにしたことを特徴とするパチンコ機の開閉動作検出装置。
【発明の詳細な説明】
【０００１】
【発明の属する技術分野】
本発明は、パチンコ機設置島のパチンコ機が回動して取付枠の遊技位置から開放位置へ移動したことを検出するパチンコ機の開閉動作検出装置に関するものである。
【０００２】
【従来の技術】
従来より、パチンコ遊技場に据置されるパチンコ機設置島には、複数のパチンコ機が回動自在に設置されている。ところで、近時、パチンコ機を不正に開放して該パチンコ機の制御回路、或は信号線に手を加えるなどして賞球を不正に獲得する者がいることから、その不正を発見するため、パチンコ機が開放されたとき、その開放動作を検出するため、例えば特開平８−１９１９４１号に示されるように検出用の押釦式スイッチを設けるようにしている。
【０００３】
更に詳しくは、図９に示すように補給樋から供給用のパイプａを介して補給され賞球を計数する計数器を備えた球補給装置ｂが、各パチンコ機Ｐに対応させてパチンコ機設置島Ａの上部に固定されている。そこで、各パチンコ機Ｐを開閉動作する際に、パチンコ機Ｐの裏面に配置した賞球タンクｃの側壁外側で押圧片ｄ１が押圧されて回動する回動動作部材Ｄの閉塞部ｄ２が、水平面内で回動して前記計数器の球通路ｅの上下端面を開放したり閉塞するようにしている。
【０００４】
そして、前記開閉動作部材Ｄの開閉動作を、該開閉動作部材Ｄの軸支部ｄ３近傍に設けられた押釦式スイッチｆによって検出し、該押釦式スイッチｆが開放動作を検出したときには、例えば、パチンコ機設置島Ａの上端部に設けられたトップランプを点灯させるか、または、集中管理装置を介してセキュリティシステムが駆動されるようになっている。セキュリティシステムとしては、例えばその状況をテレビカメラで撮影しモニタに写し出すと同時に、ビデオテープレコーダーにも録画する方法が採られる。
【０００５】
【発明が解決しようとする課題】
ところで、前記回動動作部材Ｄは前記押釦式スイッチｆのスイッチ釦ｆ１を押動するに、軸支部ｄ３で直接押すようにしており、しかも、この場合、前記回動動作部材Ｄが回動動作するのに対し、前記押釦式スイッチｆのスイッチ釦ｆ１は直線的に往復動作する。よって、押釦式スイッチｆを長い間使用していると、前記スイッチ釦ｆ１の摩耗が激しいばかりか、そのスイッチ釦ｆ１には本来の直線的動作に馴染まない外力が加わることから痛み易く、ともすると回動動作部材Ｄの回動動作を検出するに、誤動作を起こすおそれがあるという課題が有る。
【０００６】
そこで、本発明は、上記課題を解決すべくなされたもので、長い間使用しても摩耗することが殆んど無く、寿命を伸ばすことができると共に検出も間違えることなく正確に行なえるパチンコ機の開閉動作検出装置を提供することを目的とするものである。
【０００７】
【課題を解決するための手段】
かかる目的を達成するため、本発明に係るパチンコ機の開閉動作検出装置は、パチンコ機設置島の取付枠に回動自在に配置されるパチンコ機が、前記取付枠内に収まる遊技位置から離隔する開放位置へ移動したことを検出するパチンコ機の開閉動作検出装置であって、前記パチンコ機が前記遊技位置に位置するとき該パチンコ機に押圧されて遊技対応位置に位置し、前記パチンコ機が前記開放位置へ移動したとき該パチンコ機から開放されて開放対応位置に位置する回動動作部材と、前記回動動作部材が、前記開放対応位置へ移動したことを検出する押釦式スイッチと、前記押釦式スイッチのスイッチ釦を覆い、かつ前記スイッチ釦の往復動作と同方向へスライドして前記スイッチ釦を押動し得る可動部材と、からなり、前記回動動作部材が遊技対応位置へ回動動作することにより、前記可動部材を介して前記スイッチ釦が押動されるようにした構成からなる。
【０００８】
このように、可動部材により押釦式スイッチのスイッチ釦を覆うようにしたので、回動動作部材を回動させて前記スイッチ釦を押動する際、回動動作部材が前記スイッチ釦に直接接触することが無く、しかも、前記スイッチ釦には常に本来の直線的な動作方向に外力が働くことになる。よって、長い間使用してもスイッチ釦が摩耗したり損傷したりすることが殆んど無く、押釦式スイッチの寿命を伸ばすことができると共に検出も正確に行い得ることとなる。
【０００９】
【発明の実施の形態】
以下、本発明に係るパチンコ機の開閉動作検出装置について説明する。図１は、本発明が適用されるパチンコ機設置島の要部裏面図、図２は同球補給装置部分の斜視図である。図において、Ａはパチンコ機設置島であり、このパチンコ機設置島Ａの両側面であってその取付枠１に収まるようにして複数のパチンコ機Ｐが配置される。２はパチンコ機設置島Ａの上方に配設される球配給樋、３は前記球配給樋２から各パチンコ機Ｐに対して垂下されるパチンコ球供給用のパイプである。また、４はパチンコ機Ｐの機枠４ａに装着される前面枠であり、前面枠４に遊技盤５が装着されている。６は前記遊技盤５の裏側上部に取着される球タンク、７は該球タンク６に貯留されるパチンコ球を賞球払出装置（図示せず。）に整列させて誘導させる誘導レールである。そして、８は各パチンコ機Ｐに対応させて設けられ、開閉動作検出装置Ｂが取付けられる球補給装置である。
【００１０】
前記球補給装置８は、パチンコ機設置島Ａの取付枠１の裏面にビス９で取付けられる。すなわち、１０は前記ビス９により固定される取付板であり、前記取付枠１に固定される固定板部１０ａと該固定板部１０ａに沿って上下動し得る可動板部１０ｂとから構成される。固定板部１０ａの一側に上下に伸びる溝部１１が設けられ、他側にはその溝部１１と平行をなしかつ一個の螺子孔１３を貫設した段部１２ａが設けられる。そして、前記可動板部１０ｂ一側の突条１４を溝部１１に嵌入すると共に他側の縦長孔１５を開設した段部１２ｂを前記段部１２ａに重ね合わせ、前記縦長孔１５を介して螺子孔１３に螺子１６を螺合することにより、可動板部１０ｂが固定板部１０ａに対し上下位置を調節可能な状態で固定できるようになっている。
【００１１】
前記可動板部１０ｂには補給球計数器１７が設けられる。この補給球計数器１７は、ケース体１７ａの上側と一側を可動板部１０ｂに突設した枠片部１８で支持すると共にケース体１７ａの他側下部を螺子止めすることにより可動板部１０ｂに着脱自在に取付けられる。前記補給球計数器１７の上部球入口には、水平面内で自在に回動できる連結管１９が設けられており、該連結管１９に前記供給用のパイプ３が接続される。なお、図示は省略するが、前記補給球計数器１７は、ケース体１７ａの内部に通過するパチンコ球によって回転するスプロケットが設けられ、そのスプロケットの回転によって補給球数が検出されるようになっている。
【００１２】
また、前記補給球計数器１７の下部球出口には、可動板部１０ｂにビス２０止めして通路部材２１が連通状に固着される。更に、通路部材２１にパチンコ球を球タンク６に導く補給樋２２が接続される。この補給樋２２は、ケース体１７ａの下方に位置し、通路部材２１の出口部と可動板部１０ｂにビス２３止めされる軸受部材２４とにより軸支され、鉛直面内で自在に回動できるようになっている。補給樋２２の前端には図３に示すように下側を向く排出口２５が開設され、後端は閉塞されている。そして、その後端部にビスにより固着され、開閉動作検出装置Ｂを構成する回動動作部材としてのレバー片２６が垂下されている。該レバー片２６は、金属帯板により形成されており、補給樋２２とほぼ直交するように設けられている。２７は一端を前記軸受部材２４に、また他端をレバー片２６に係止した渦巻きばねであり、これにより補給樋２２の軸支部より前側が常に上向姿勢に付勢されるようになっている。
【００１３】
また、前記補給樋２２の前側であって、その上面一側に内部通路２２ａと連通する差込孔２８が開設される。一方、可動板部１０ｂの下縁に前記補給樋２２の上方に位置して前方を向く停止片２９が突設されており、この停止片２９の一側縁に下方へ折れ曲がり前記差込孔２８を介して内部通路２２ａ内へ介入し得るストッパー片３０が設けられる。そこで、図３、図４の実線に示すように前記前側が上向姿勢に付勢される補給樋２２は、停止片２９により停止されほぼ水平状態に保持され、このとき前記ストッパー片３０が差込孔２８に入り内部通路２２ａ内へ介入される。前記補給樋２２は、その内部通路２２ａが一個のパチンコ球が通過できる程度の横幅しかなく、前記ストッパー片３０が介入されるとその横幅寸法がパチンコ球の直径寸法よりも短くなり、パチンコ球の通過が不可能となる。これにより、パチンコ球の供給が停止できるようになっている。また、補給樋２２が渦巻きばね２７の弾発力に抗して下方へ回動することにより、図３、図４の鎖線に示すように補給樋２２内部からストッパー片３０が抜け出て、パチンコ球が通過できるようになっている。
【００１４】
前記球補給装置８では、球補給樋２のパチンコ球が供給用のパイプ３、連結管１９、補給球計数器１７、通路部材２１を経て補給樋２２に導かれる。そして、図７に示すように前面枠４が閉じられ、パチンコ機Ｐが取付枠１内に収まった遊技位置にあるとき、レバー片２６が球タンク６に押圧されて遊技対応位置に位置し、これと一体の補給樋２２が渦巻きばね２７の付勢に抗して回動し、その前側が下傾姿勢となる。このため、ストッパー片３０が差込孔２８から抜け出ると共に補給樋２２の先端の排出口２５が球タンク６内に臨み、その中にパチンコ球が補給される。
【００１５】
一方、この状態で前面枠４を開きパチンコ機Ｐが開放位置へ移動すると、図８に示すように球タンク６がレバー片２６から離れ、補給樋２２が渦巻きばね２７の付勢により回動してその前側がほぼ水平姿勢となり開放対応位置に位置する。同時に、ストッパー片３０が差込孔２８を介して補給樋２２の内部通路２２ａ内へ介入して該補給樋２２の内部通路２２ａを閉止させる。このため、補給樋２２の排出口２５から球タンク６の外にパチンコ球が零れるようなことはない。また、前面枠４が閉じられると、レバー片２６が球タンク６に押動されて図７の状態に戻り、パチンコ球が補給されるようになる。
【００１６】
本発明は、図５、図６に示すように前記補給球計数器１７であって、そのケース体１７ａの裏面に下端面が開放した支持枠３１が取付られ、この支持枠３１内に開閉動作検出装置Ｂを構成する防犯用スイッチとしての押釦式スイッチ３２が設けられている。この押釦式スイッチ３２は、その下面に下方へ段発付勢されるスイッチ釦３２ａが設けられ、該スイッチ釦３２ａが下方へ突出しているときはＯＮ状態にあり、逆にスイッチ釦３２ａが上方へ後退しているときはＯＦＦ状態にある。また、押釦式スイッチ３２の一側に、正面Ｌ型をなすと共にガイド部材３３にガイドされ上下方向へ自在に摺動する開閉動作検出装置Ｂを構成する可動部材３４が配置されている。
【００１７】
そして、前記可動部材３４下端の横板部３４ａが前記スイッチ釦３２ａの下方に対向位置して覆っており、可動部材３４の下方への動きは、ケース体１７ａの下面に取付けられた受止片３５が横板部３４ａを下側から支えることにより規制されるようになっている。また、図６鎖線に示すように前記補給樋２２の前側が下向き回動すると、その後端が上がり、レバー片２６の上端縁で横板部３４ａを押し上げると共にスイッチ釦３２ａを押し、押釦式スイッチ３２をＯＦＦ動作させる。また、前記補給樋２２の前側が上向き回動すると、その後端が下がり、自由になった横板部３４ａがスイッチ釦３２ａにより押し下げられて受止片３５で停止する。同時に、押釦式スイッチ３２がＯＮ動作されるようになっている。なお、前記押釦式スイッチ３２は、パチンコ機設置島Ａの上端部に設けられたトップランプ（図示せず。）に接続されており、押釦式スイッチ３２がＯＮ状態になると点灯し、パチンコ機Ｐが開放されたことを係員に知らせることができるようになっている。
【００１８】
本発明に係るパチンコ機の開閉動作検出装置は上記構成からなり、図７に示すように前面枠４が閉じられて球タンク６にパチンコ球が補給できる態勢のとき、スイッチ釦３２ａが可動部材３４の横板部３４ａを介してレバー部材２６により押し上げられ、押釦式スイッチ３２がＯＦＦ状態になっている。そして、図８に示すように前面枠４が開かれて補給樋２２が略水平姿勢になると、レバー片２６が押釦式スイッチ３２のスイッチ釦３２ａから離れ、可動部材３４がスイッチ釦３２ａにより受止片３５の位置まで押し下げられると共に押釦式スイッチ３２がＯＮ状態となる。これにより、パチンコ球設置島Ａのトップランプが点灯する。
【００１９】
なお、本発明に係る実施の形態で使用した押釦式スイッチ３２は、これに限られるものではなく、これ以外の押釦式スイッチであっても良いこと勿論である。
【００２０】
【発明の効果】
以上説明したように、本発明に係るパチンコ機の開閉動作検出装置は、可動部材により押釦式スイッチのスイッチ釦を覆うようにしたので、押動する際、回動動作部材が前記スイッチ釦に接触することが無く、しかも、前記スイッチ釦には常に本来の直線的な動作方向に外力が作用することになる。よって、長い間使用してもスイッチ釦が摩耗することが殆んど無く、押釦式スイッチの寿命を伸ばすことができると共に検出も間違えることなく正確に行なえるという効果がある。
【図面の簡単な説明】
【図１】本発明が適用されるパチンコ機設置島の要部の裏面図。
【図２】同球補給装置部分の斜視図。
【図３】レバー部分の側面断面図。
【図４】同裏面断面図。
【図５】球補給装置部分の一部断面裏面図。
【図６】同側面断面図。
【図７】球補給装置の作用説明図。
【図８】球補給装置の作用説明図。
【図９】従来の球補給装置部の裏面図。
【符号の説明】
１　　　　　　　　　　取付枠
２６　　　　　　　　　回動動作部材（レバー片）
３２　　　　　　　　　押釦式スイッチ
３２ａ　　　　　　　　スイッチ釦
３４　　　　　　　　　可動部材
Ａ　　　　　　　　　　パチンコ機設置島
Ｂ　　　　　　　　　　開閉動作検出装置
Ｐ　　　　　　　　　　パチンコ機
【図１】
2004008473.tif 000003
【図２】
2004008473.tif 000004
【図３】
2004008473.tif 000005
【図４】
2004008473.tif 000006
【図５】
2004008473.tif 000007
【図６】
2004008473.tif 000008
【図７】
2004008473.tif 000009
【図８】
2004008473.tif 000010
【図９】
2004008473.tif 000011